(57)【特許請求の範囲】
【請求項１】
複数の熱伝導良好な金属製の冷却板を接続部材にて屈曲可能に接続した冷却装置において、
前記冷却板には嵌合構及び孔が設けられ、前記接続部材はその固定突起が前記孔に挿入して係止されて前記嵌合溝に嵌合して各冷却板を接続したことを特徴とする冷却装置。
【請求項２】
複数の熱伝導良好な金属製の冷却板を接続部材にて屈曲可能に接続した冷却装置において、
前記冷却板には孔が開設され、可撓性を有する材料で形成された前記接続部材を前記孔を介して縫うようにして各冷却板を接続したことを特徴とする冷却装置。
【請求項３】
複数の熱伝導良好な金属製の冷却板を接続部材にて屈曲可能に接続した冷却装置において、
幅が異なる複数の前記冷却板を並設して接続したことを特徴とする冷却装置。
【請求項４】
前記冷却板の一方の面を平面とし、他方の面にはフィンを形成したことを特徴とする請求項ｌ〜請求項３のいずれか１項に記載の冷却装置。
【発明の詳細な説明】
【０００１】
【発明の属する技術分野】
本発明は、冷蔵庫等に収納された冷凍食品等を解凍したり又は常温状態の缶飲料等を迅速に冷却するための冷却装置に関する。
【０００２】
【従来の技術】
この種の冷却装置は、一般に熱伝導が良好な１枚の金属製の冷却板であり、例えば食品を冷却あるいは冷凍する場合には、前記冷却板の上に食品を載せ食品の冷却効果を向上させていた。
【０００３】
この場合、食品が少量のときには冷却板の一部にのみ食品が載置されることになり、冷却板上のスペースが無駄になるということが発生する。また、缶飲料を早く冷却させたいために、缶飲料を冷却板の上に寝かせて載置した場合でも、缶飲料と冷却板との接触面積が少ないため、冷却時間の短縮の効果は小さい。
【０００４】
また、上記冷却装置はｌ枚の板であるため、使用時には他の食品を退かせておくスペースを確保する必要があり、冷蔵庫内での設置場所が制限される。更に、使用しない時の収納場所も限定される。
【０００５】
そこで、複数の熱伝導良好な金属製の冷却板を接続部材にて屈曲可能に接続した冷却装置が提案されている。
【０００６】
この冷却装置は、複数の冷却板が屈曲可能に接続されている。
【０００７】
【発明が解決しようとする課題】
本発明は、この冷却装置の屈曲が自在で丈夫で且つ簡単な構成の冷却装置を提供することを目的とする。
又、本発明は、使い勝手の良い冷却装置を提案するものである。
【０００８】
【課題を解決するための手段】
このため請求項１の発明は、前記冷却板には嵌合溝及び孔が設けられ、前記接続部材はその固定突起が前記孔に挿入して係止されて前記嵌合溝に嵌合して各冷却板を接続したことを特徴とする。
【０００９】
また請求項２の発明は、冷却板には孔が開設され、可撓性を有する材料で形成された前記接続部材を前記孔を介して縫うようにして各冷却板を接続したことを特徴とする。
【００１０】
請求項３の発明は、幅が異なる複数の前記冷却板を並設して接続したことを特徴とする。さらに、この請求項３の発明において、幅の狭い冷却板を中央に配置すれば、周辺部分の不安定さを無くし且つ中央からの折り曲げを容易とできる。
【００１１】
請求項４の発明は、前記冷却板の一方の面を平面とし、他方の面にはフィンを形成したことを特徴とする。
【００１２】
【発明の実施の形態】
以下、図面に基づき、本発明の第１の実施の形態を説明する。先ず、図１、図２及び図３に示したｌは冷却装置である。該冷却装置１は熱伝導が良好な金属、例えばアルミニウムにより形成された複数の冷却板２と、これらの冷却板２を平行に並設させた状態でかつ屈曲可能に接統する複数の接続部材３とから構成されている。
【００１３】
前記冷却板２は相対向した長辺及び短辺とを備えた矩形であり、断面は略コの字状である。更に、冷却板２は一方の面が平面であり、他方の面の相対向した長辺にはフィン４が形成され、該冷却板２の一方の端部近傍に接続部材３を通す孔５及び該孔５に連通する溝６が複数形成されている。
【００１４】
また、前記接続部材３は柔軟で可撓性を備えた、例えば合成樹脂材料にて形成された帯状のもので、図１及び図２に示したように接続部材３を各冷却板２の孔５及び溝６に連通し、冷却板２を縫うように織って接続する。そして、接続部材３は冷却板２の一方の平面とフィン４が形成された他方の面（以下フィン形成面という）とに交互に表れ、前記溝６により一方の平面と接続部材３との面は面一である。このとき、前記接続部材３には前記孔５より抜けないように、端部には抜け止め部９が形成されている。
【００１５】
尚、前記接続部材３は、合成樹脂材料その他で形成した幅狭の帯状体や、糸伏体で形成してもよい。
以下、上記冷却装置１の使用方法について説明する。
【００１６】
例えば食品をビニール袋に入れて又は食品を直接冷蔵庫に収納して冷却あるいは冷凍する場合には、既に十分に冷却された冷却装置ｌで被冷却物を包むようにして収納する。このとき、冷却装置ｌは複数の冷却板２を接続部材３により接続したものであり、図２に示したように屈曲自在であるので、被冷却物の周囲に沿いフィン形成面を外側にして冷却装置１を巻き付け、あるいは被冷却物を冷却装置１にて挟み、被冷却物と冷却装置１との隙間を極力無くすように囲み、冷蔵庫に収納すればよい。また、缶飲料を冷却する場合にも被冷却物と同様に缶飲料の周囲に冷却装置１を巻き付け、冷蔵庫に収納すればよい。
【００１７】
このように、収納に際して、冷却装置１を屈曲させて被冷却物あるいは缶飲料などと接触させて包んでいるため、被冷却物あるいは缶飲料などの載置スペースの増加を極力抑えることが可能になる。
【００１８】
また、冷却装置１を周囲に備えた被冷却物あるいは缶飲料などを冷蔵庫の冷蔵室あるいは冷凍室にて冷却あるいは冷凍する際には、冷却装置１に形成されたフィン４によって伝熱面積が増加し、かつ、冷却装置１と被冷却物あるいは缶飲料などとの隙間が極僅かに抑えられ、冷却装置１と被冷却物あるいは缶飲料などとの間の熱伝導も良いため、庫内にて被冷却物あるいは缶飲料などを冷却装置１を介して周囲の冷気により効率よく冷却することが可能になり、冷却時間を短縮することができる。
【００１９】
更に、冷却装置１を巻いた被冷却物あるいは缶飲料などを庫内に収納する際に、フィン４が庫内の冷気の流れに沿うように収納することにより、庫内にて冷気がフィン４に沿ってスムーズに流れ、一層効率良く被冷却物あるいは缶飲料などを冷却することが可能になる。
【００２０】
また、冷却装置１を使用しないときには、冷却装置１を折曲しあるいは巻いてコンパクトにして収納すればよい。
【００２１】
以下、本発明の第２の実施の形態について図４、図５及び図６に基づいて説明する。冷却装置１は上記第ｌの実施の形態にて説明した冷却装置１と同様に複数の冷却板６とこれらの冷却板６を接続する接続部材７とから構成されている。冷却板６毎に、平面側の両短辺間に接続部材取り付け用の嵌合溝８が形成され、接続部材７により複数の冷却板６を接続した時に、冷却板６の平面と接続部材７の面とが面一となるように嵌合溝８の深さが決定されている。更に、後述する接続部材７の固定突起用の孔１０が前記嵌合溝８の中央部に形成され、その他の冷却板６の構成は上記冷却板２と同様である。
【００２２】
接続部材７は、例えば合成樹脂材料にて帯状に形成され、冷却板６の短辺の幅とほぼ同様の間隔に折り曲げ可能とする薄肉部１１が形成され、薄肉部１１の間に嵌合部である厚肉部１２が形成されている。更に、接続部材７の裏面には固定突起１３が冷却板６の短辺の幅とほぼ同様の間隔に複数箇所形成され、これらの固定突起１３の先端には上記孔１０に挿入した際に該孔１０に係止して抜けないようにする係止部１４が形成されている。
【００２３】
このように構成された接続部材７により複数の冷却板６を接続するときには、複数の冷却板６を並設させた状態にして該接続部材７の薄肉部１１を冷却板６の間に位置させ、各固定突起１３を各孔１０に挿通し、係止部１４を孔１０の周縁に係止させる。更に、接続部材７の厚肉部１２を嵌合溝８に嵌合させることにより、接続部材７が各冷却板６に取り付けられ、複数の冷却板６が接続固定される。このため、工具などを用いる必要もなく複数の冷却板６を接続部材７により容易に接続することができる。
【００２４】
また、複数の冷却板６を接続した冷却装置１を使用するときには、例えば図５に示したように被冷却物の厚さなどに合わせて薄肉部１１にて冷却装置１を折曲させ、上記実施の形態と同様に被冷却物を包み、冷蔵庫などに収納すればよい。その他の使用方法については、前述した通りである。
【００２５】
更に、冷却装置ｌを使用しないときには、冷却装置１を適宜の薄肉部１１の箇所で折り曲げて収納すればよい。
【００２６】
以下、本発明の第３の実施の形態について図７及び図８に基づいて説明する。冷却装置１は上記第２の実施の形態にて説明した冷却板６と同様に形成された複数の冷却板６と、この冷却板６より幅が広い冷却板２１、２２と、これらの冷却板６、２１、２２を接続する接続部材２３とから構成されている。冷却板２１は冷却板６のほぼ２倍の幅寸法であり、フィン形成面には等間隔に３条のフィン４が形成されている。また、冷却板２２は冷却板６のほぼ４倍の幅寸法であり、フィン形成面には等間隔に５条のフィン４が形成されている。
【００２７】
冷却板６、２１、２２と接続部材との関係は、前述した第２の実施の形態とほぼ同様である。
【００２８】
つまり、両冷却板２１及び２２には平面側の両短辺近傍に接続部材取り付け用の嵌合溝２４が形成され、上記嵌合溝８と同様に接続部材２３により複数の冷却板６、２１、２２を接続した時に、冷却板６、２１、２２の平面と接続部材２３の面とが面一となるように嵌合溝２４の深さが決定されている。
【００２９】
固定突起用の孔（第２の実施の形態の１０）が冷却板６、２１、２２に形成されている。
【００３０】
接続部材２３は、第２の実施の形態の接続部材７と同様に樹脂にて帯状に形成され、冷却板６、２１、２２の短辺の幅とほぼ同様の間隔に折り曲げ可能な薄肉部１１が形成され、薄肉部１１の間に厚肉部が形成されている。更に、接続部材２３の裏面には固定突起１３が、冷却板６、２１、２２の孔（第２の実施の形態の１０）の間隔とほぼ同様の間隔に複数箇所形成され、これらの固定突起１３の先端には係止部（第２の実施の形態の１４）が形成されている。
【００３１】
このように構成された接続部材２３により複数の冷却板６、２１、２２を接続するときには、第２の実施の形態と同様に接続部材２３の薄肉部１１を冷却板６、２１、２２の間に位置させ、各固定突起１３を各孔（第２の実施の形態の１０）に挿通し、係止部（第２の実施の形態の１４）を各孔の周縁に係止させる。
【００３２】
更に、接続部材２３の厚肉部１２を嵌合溝２４に嵌合させることにより、接続部材２３が各冷却板６、２１、２２に取り付けられ、複数の冷却板６、２１、２２が接続固定され、工具などを用いる必要もなく冷却板６、２１、２２を接続部材２３により容易に接続することができる。
【００３３】
複数の冷却板６、２１、２２を接続した冷却装置１を使用するときには、例えば図８に示したように被冷却物の厚さなどに合わせて薄肉部１１にて冷却装置１を折曲させ、上記実施の形態と同様に被冷却物を包み、冷蔵庫などに収納すればよい。
【００３４】
ここで、例えば被冷却物を冷却する場合には、被冷却物の面積が広い面を幅が広い冷却板２１又は２２に載置し、各冷却板６、２１間の接続部材２３にて被冷却物の高さに合わせて冷却装置１を折り曲げ、被冷却物の上面に冷却板２１又は２２を当て、この冷却物を冷却板２１又は２２により挟む。このように、冷却板２１又は２２により被冷却物を挟むことにより、冷却板間の接続部での被冷却物からの浮き、隙間の発生を極力回避でき、幅が広い冷却板２１又は２２の平面と被冷却物の表面とを接触させ、冷却時間を一層短縮することも可能になる。
【００３５】
更に、冷却装置ｌを使用しないときには、冷却装置１を適宜の薄肉部１１の箇所で析り曲げて収納すればよい。
【００３６】
この第３の実施形態では、第２の実施の形態と同様に接続したが、第１の実施の形態と同様に接続してもよい。
また、上記各実施形態では、被冷却物を冷却装置１を用いて冷却する場合について説明したが、冷凍食品などを解凍する場合においても、冷却装置ｌで冷凍食品を巻いたり、冷却装置１により冷凍食品を挟むことにより、冷凍食品と周囲の雰囲気との熱交換が冷却装置１により促進され、解凍時間を短縮することが可能になる。
【００３７】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００３８】
【発明の効果】
以上のように本発明によれば、各冷却板を接続する接続部材を簡単な構成にするとともに、折曲自在な冷却装置を提供できる。
また、本発明では、幅が異なる複数の前記冷却板を並設して接続しているので、冷却する対象物に応じて曲げることができる。
【図面の簡単な説明】
【図１】冷却装置の要部斜視図である。
【図２】冷却装置を屈曲したときの要部斜視図である。
【図３】冷却装置の要部縦断面図である。
【図４】冷却装置の要部斜視図である。
【図５】冷却装置を屈曲したときの要部斜視図である。
【図６】冷却装置の要部縦断面図である。
【図７】冷却装置の要部斜視図である。
【図８】冷却装置を屈曲したときの要部斜視図である。
【符号の説明】
ｌ                  冷却装置
２、６、２１、２２  冷却板
３、７、２３        接続部材
４                  フィン
８、２４            嵌合溝
１１                薄肉部
１２                厚肉部
１３                固定突起
１４                係止部
【図１】
0003796152.tif 000002
【図２】
0003796152.tif 000003
【図３】
0003796152.tif 000004
【図４】
0003796152.tif 000005
【図５】
0003796152.tif 000006
【図６】
0003796152.tif 000007
【図７】
0003796152.tif 000008
【図８】
0003796152.tif 000009